(57)【要約】【課題】大型の金型を用いることなく、かつ、部品点数を軽減することで、製造費用を削減すること。【解決手段】平面表示装置Ｌの前面側を保持する前板部２０と、平面表示装置Ｌの後面側を保持する後板部３０を具備し、前板部２０と後板部３０は１枚の板状部品から形成されるとともに、後板部３０は、板状部品に形成された互いに平行な一対のスリットから後側に折曲されて形成されていることを特徴とする。【選択図】      図１
2007171664.tif 000002
【特許請求の範囲】
【請求項１】
平面表示装置の前面側を保持する前板部と、上記平面表示装置の後面側を保持する後板部を具備し、
上記前板部と上記後板部は１枚の板状部品から形成されるとともに、上記後板部は、上記板状部品に形成された互いに平行な一対のスリットから後側に折曲されて形成されていることを特徴とする平面表示装置用筐体。
【請求項２】
上記前板部のうち上記スリットの形成面は、他の部品により覆われていることを特徴とする請求項１に記載の平面表示装置用筐体。
【請求項３】
上記他の部品は、平板状に形成され、
上記前板部には、上記他の部品の前面と上記前板部の前面とが同一平面となるように段差が設けられていることを特徴とする請求項２に記載の平面表示装置用筐体。
【請求項４】
板状部品にスリットを形成する工程と、
上記スリットを利用して第１の曲げ加工をする工程と、
上記第１の曲げ加工をされた部分と別の部分を加工して後板部を形成する第２の曲げ加工をする工程とを備えていることを特徴とする平面表示装置用筐体製造方法。
【請求項５】
表示パネルと、
上記表示パネルの前面側を保持する前板部と、
上記表示パネルの後面側を保持する後板部とを具備し、
上記前板部と上記後板部は１枚の板状部品から形成されるとともに、上記後板部は、上記板状部品に形成された互いに平行な一対のスリットから後側に折曲されて形成されていることを特徴とする平面表示装置。
【発明の詳細な説明】
【技術分野】
【０００１】
本発明は、液晶ディスプレイやプラズマディスプレイ等の平面表示装置用筐体、平面表示装置用筐体製造方法及び平面表示装置に関し、特に高価な金型を用いることなく、筐体を成形できるとともに、部品点数及び製造コストを軽減できる技術に関する。
【背景技術】
【０００２】
液晶ディスプレイやプラズマディスプレイ等の平面表示装置用筐体は、樹脂による射出成形や、板金プレスによる塑性加工により成形されるのが一般的である（例えば、特許文献１〜３参照）。
【特許文献１】特開平１０−９３８９１号公報
【特許文献２】特開平１０−２００８３３号公報
【特許文献３】特開平９−１３５４０８号公報
【発明の開示】
【発明が解決しようとする課題】
【０００３】
上述した平面表示装置用筐体では、次のような問題があった。すなわち、樹脂射出成形金型及び板金プレス金型は、成形サイズに比例して高額となる。特に、総生産台数が少ない大画面サイズの筐体においては、１台あたりの金型費用は相当の高額となる。一方、複数の部品を組合せて大型の筐体を製造することも考えられるが、部品毎の金型が必要になり、結局高額となってしまう。
【０００４】
そこで本発明は、大型の金型を用いることなく、かつ、部品点数を軽減することで、製造費用を削減することができる平面表示装置用筐体、平面表示装置用筐体製造方法及び平面表示装置を提供することを目的としている。
【課題を解決するための手段】
【０００５】
前記課題を解決し目的を達成するために、本発明の平面表示装置用筐体、平面表示装置用筐体製造方法及び平面表示装置は次のように構成されている。
【０００６】
（１）平面表示装置の前面側を保持する前板部と、上記平面表示装置の後面側を保持する後板部を具備し、上記前板部と上記後板部は１枚の板状部品から形成されるとともに、上記後板部は、上記板状部品に形成された互いに平行な一対のスリットから後側に折曲されて形成されていることを特徴とする。
【０００７】
（２）板状部品にスリットを形成する工程と、上記スリットを利用して第１の曲げ加工をする工程と、上記第１の曲げ加工をされた部分と別の部分を加工して後板部を形成する第２の曲げ加工をする工程とを備えていることを特徴とする。
【０００８】
（３）表示パネルと、上記表示パネルの前面側を保持する前板部と、上記表示パネルの後面側を保持する後板部とを具備し、上記前板部と上記後板部は１枚の板状部品から形成されるとともに、上記後板部は、上記板状部品に形成された互いに平行な一対のスリットから後側に折曲されて形成されていることを特徴とする。
【発明の効果】
【０００９】
本発明によれば、大型の金型を用いることなく、かつ、部品点数を軽減することで、製造費用を削減することが可能となる。
【発明を実施するための最良の形態】
【００１０】
図１は本発明の第１の実施の形態に係る平面表示装置用筐体１０を示す斜視図、図２は同平面表示装置用筐体１０を形成するため板状部材１００を示す平面図である。
【００１１】
平面表示装置用筐体１０は、四角枠状の前板部２０と、この前板部２０の長手方向の両端から中央側に向けて一体に設けられた一対の後板部３０とを備えている。
【００１２】
このような平面表示装置用筐体１０は、次のようにして製造される。すなわち、図２に示すような平板状の板状部材１００を用意し、図中１０１に示すようなスリットをエンドミルによる切削、タレットパンチ、レーザ等によって形成する。板状部材１００は例えばアルミ材、ステンレス材、樹脂材料を用いる。なお、スリット１０１のうち、部位１０１ａ，１０１ｂは互いに平行である。
【００１３】
これにより、部位１０２が除去される。次に、二点鎖線１０３を凸にして半径２０ｍｍ程度の曲げ加工、二点鎖線１０４を凹にして半径１００ｍｍ程度の曲げ加工を行う。
【００１４】
このようにして構成された平面表示装置用筐体１０は、前板部２０と後板部３０との間に、液晶パネル等の平面表示装置Ｌを保持させることができる。なお、前板部２０のスリット１０１が形成されたスリット形成面２１は、切削加工等により加工面が露出している。このため、図３〜図５に示すように他の部品を用いて覆うようにしてもよい。
【００１５】
図３及び図４は、前板部２０の両サイドに平面型のスピーカユニット４０等の他の部品を取り付けた例を示す斜視図である。前板部２０には、スピーカユニット４０の厚さと同等の段差２２を形成することで、スピーカユニット４０と前板部２０が同一平面となるようにしてもよい。なお、スピーカ４０の変わりに化粧パネルを用いてもよい。
【００１６】
図５は、化粧部材５０の要部を示す斜視図である。化粧部材５０は、例えばアルミ押出材や樹脂の押出材で形成されている。断面Ｊ字型の化粧部材５０は、使用に際して部分５１及び部分５２を切除して用いられる。
【００１７】
図６は、前板部２０の被加工箇所に化粧部材５０を配置した例を示す斜視図である。化粧部材５０は、断面がＪ字型に形成されることで、切削加工等による断面が隠されるので、筐体のデザイン性を高めることができる。
【００１８】
上述したように本実施の形態に係る平面表示装置用筐体１０は、板状部材を曲げ加工のみで平面表示装置Ｌを保持することができる形状に加工できるため、高価な金型が不要となり、製造コストを低減することが可能となる。また、スピーカユニット４０や化粧部材５０を配置することで、スリット加工した部分の断面が隠されるため、端面処理加工を省略することが可能である。また、平面表示装置用筐体１０としてアルミ材、ステンレス材を用いることで、平面表示装置Ｌで発生した熱を外部に放出しやすく、内部の温度上昇を低減できる。
【００１９】
さらに、前板部２０が狭額縁形状であるとともに、薄い板状部品１００を用いているため、正面視で薄く見せることができる。また、板状部材１００をアルミ材等の金属とすることで、塗装ではなく、素材そのものが露出するため、高品質感があり、見栄えが良い。
【００２０】
図７は、本発明の第２の実施の形態に係るテレビセット６０を示す分解斜視図である。平面表示装置の一例であるテレビセット６０は、平面表示装置用筐体７０と、この平面表示装置用筐体７０に保持された液晶表示パネル８０及びスピーカユニット８１とを備えている。
【００２１】
平面表示装置用筐体７０は、板状部品を折曲して形成された枠状の前板部７１と、この前板部７１から後側に折曲された一対の後板部７２と、前板部７１及び後板部７２の上部を蓋する天井板７３、下部を蓋する底板７４及びこの底板７４を支持する脚部７５と、後板部７２を蓋する背面板７６とを備えている。なお、前板部７１は図８に示すように、さらに折り曲げ加工を行うことで斜面部７１ａが形成されている。
【００２２】
本実施の形態に係る平面表示装置用筐体７０は、上述した平面表示装置用筐体１０と同様にしてスリット加工及び曲げ加工により形状を形成できる。したがって、テレビセット６０は平面表示装置用筐体１０と同様の効果を得ることができる。すなわち、平面表示装置Ｌで発生した熱を外部に放出しやすく、内部の温度上昇を低減できる。さらに、前板部２０が狭額縁形状であるとともに、薄い板状部品１００を用いているため、正面視で薄く見せることができる。また、板状部材１００をアルミ材等の金属とすることで、塗装ではなく、素材そのものが露出するため、高品質感があり、見栄えが良い。
【００２３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２４】
【図１】本発明の第１の実施の形態に係る平面表示装置用筐体を示す斜視図。
【図２】同平面表示装置用筐体の材料となる板状部材を示す平面図。
【図３】同平面表示装置用筐体へのスピーカ取り付け方法を示す要部斜視図。
【図４】同平面表示装置用筐体へスピーカを取り付けた状態を示す要部斜視図。
【図５】同平面表示装置用筐体に用いられる化粧部材を示す要部斜視図。
【図６】同平面表示装置用筐体への化粧部材取付け方法を示す要部斜視図。
【図７】本発明の第２の実施の形態に係る平面表示装置用筐体を使用したテレビセットを示す分解斜視図。
【図８】同平面表示装置用筐体を示す斜視図。
【符号の説明】
【００２５】
１０…平面表示装置用筐体、２０…前板部、３０…後板部、４０…スピーカ、５０…化粧部材、Ｌ…平面表示装置、１００…板状部材、６０…テレビセット、７０…平面表示装置用筐体、７１…前板部、７２…後板部、８０…液晶表示パネル、８１…スピーカユニット。
【図１】
2007171664.tif 000003
【図２】
2007171664.tif 000004
【図３】
2007171664.tif 000005
【図４】
2007171664.tif 000006
【図５】
2007171664.tif 000007
【図６】
2007171664.tif 000008
【図７】
2007171664.tif 000009
【図８】
2007171664.tif 000010